(57)【要約】【課題】  釣り用サルカン（撚り戻し具）にショック緩和機能を装備して、釣りの仕掛けからクッションゴムを除外出来、道糸とハリスの間に接続したサルカンに魚釣り時にショックを緩和し、魚の口切れやハリス切れを防止の出来るサルカンにすること。【解決の手段】  釣り用サルカンにおいて、固定でなる、中心孔付きのＡマグネット１に直列で同磁極で対向し反発力ａで移動可能な、中心孔付きのＢマグネット２を内蔵構成する蓋体３Ａ付きの密閉式円筒体ケース３の片方の端子３ａに接続孔３ｂを設け、他方端子の側面に設けた軸孔３ｃに軸受けとして差し込まれて回動とスライド自在でなる、接続リング部４ａ付き駆動軸４は、内臓するＡマグネット１を貫通し、反発力ａでなるＢマグネット２に止め座Ｃを介し一体的連結することで、その接続リング部４ａに付加する引きｂで反発力ａに逆らい固定するＡマグネット１に近接し、引きｂの解除にて即、反発力ａの復帰移動する同期連動作用することで、接続リング部４ａを伸縮と回動可能な構成とする。【選択図】図１
0003147650.tif 000002
【実用新案登録請求の範囲】
【請求項１】
釣り用サルカン（撚り戻し具）において、固定する、中心孔付きのＡマグネット１に直列で同磁極で対向し反発力ａ移動可能な、中心孔付きのＢマグネット２を内蔵構成する蓋体３Ａ付きの密閉式円筒体ケース３の片方の端子３ａに接続孔３ｂを設け、他方端子の側面に設けた軸孔３ｃに差し込まれて回動とスライド自在でなる、接続リング部４ａ付き駆動軸４は、内臓するＡマグネット１を貫通し、反発力ａでなるＢマグネット２に止め座Ｃを介し、一体的連結することで、その接続リング部４ａに付加する引きｂで反発力ａに逆らい固定するＡマグネット１に近接し、引きｂの解除にて即、反発力ａで復帰移動する同期連動作用することで、接続リング部４ａを伸縮と回動自在可能にしたことを特徴とする、ショック緩和サルカン。
【請求項２】
前記する固定でなるＡマグネット１と反発力ａで移動するＢマグネット２との磁極間に不特定材質でなるボールベアリング５を配置し、回動とスライドをスムーズにした事を特徴とする請求項１記載のショック緩和サルカン。
【請求項３】
前記する蓋体３Ａ付きの密閉式円筒体ケース３に内臓する反発力ａ磁極で対向するＡマグネット１とＢマグネット２を排除し、台座６ａと或いは、ボールベアリング５を介してなる圧縮コイルスプリング６を代替内臓し、軸孔３ｃに差し込まれて構成する駆動軸４が圧縮コイルスプリング６の輪径空間部６ｂを貫通しＥリングｅと止め座Ｃ等で一体化する駆動軸４の接続リング部４ａに付加する魚の引きｂで圧縮スプリング６が縮小し、引きｂの解除にて即、反発力ａ拡張で当該接続リング部４ａを伸縮と回動自在可能にした事を特徴とする請求項１記載のショック緩和サルカン。
【考案の詳細な説明】
【技術分野】
【０００１】  この考案は、釣りの仕掛けで釣り糸と釣り用具のもつれやよじれを防ぎ、且つ仕掛けの取り替えをスムーズにする為に使う、釣り用サルカン（撚り戻し具）に関し、更に詳しくは、サルカンに接続するハリスの釣り餌に魚のすこぶる弱いアタリや、針がかりを感知が出来且つ、釣り上げ時の魚に与えるショックを緩和する為の、クッション機能を内臓したサルカンに関する。
【背景技術】
【０００２】  この種の従来の技術として数々のタイプからなるサルカンが知られる、即ちハコ型サルカン、タル型サルカン、スナップ付きサルカン、ミツマタサルカン、松葉型、親子松葉型等釣り上げる魚の対象、或いは仕掛けの太さによって、これらのタイプやサイズの大小が決められ、数々のタイプの中から選択され使われている。【０００３】  そしてこれらのサルカンを使っての仕掛けは、釣り糸とクッションゴムの間、又はクッションゴムとハリスの間、又は釣り糸とハリスの間、又は釣り糸とオモリの間、又は釣り糸とテンビンの間、又は釣り糸とアタリウキの間、又は釣り糸とカゴ類の間と様々な釣り用具に接続され使われ、釣り針を海中に投げ込む時や海中での釣り針の落下時等での釣り糸と用具のもつれやよじれ、或いは魚の急激な動きにサルカンが反応し魚の動きに同期し吊るした釣り糸に与える支障を防いでくれる用具として使われている。【０００４】  これらのサルカンは図６での一部断面での釣り針Ｂ付きでのハリスＡに接続での斜視図で、主に黄銅材の金属材で中空状の密閉式円筒体ケース３０の両側面の軸穴３０ｃにはほど良い嵌め合いで、抜け止め４０ｂ付きの細い金属線の接続リング部４０ａ付きの駆動軸４０が回動自在で抜け止め付きで差し込まれた構成で、これらの両側面の接続リング部４０ａの一方が釣り糸側に接続され、他方がハリスＡに接続された一例を示す。【０００５】
【考案の開示】
【考案が解決しようとする課題】
【０００６】  しかしながら上記する従来技術の釣り用サルカンは、金属加工でサイズも形態も様々で、密閉式円柱体ケースの両側面で回動する駆動軸と軸孔の係合は、駆動軸の回動のための嵌め合い勘合や、抜け強度のばらつきによっては、駆動軸がスムーズに動かず、きしんだり、或いは、弱い引っ張りで駆動軸が脱落するなどのトラブルが課題となる。【０００７】  そして又、釣れた魚の釣り上げる際の魚の動き回るショックを緩和したり或いは、魚のアタリ合わせ時の口切れや、ハリス切れ等を防ぐ手段として、釣り糸とハリスの間に接続する軟質伸縮性のポリウレタンエラストマー材の細長いクッションゴムの両端を、サルカンの接続リング部に折り返し曲げで、熱溶着でサルカンに接続している為、魚の釣り上げ時に過激な引っ張り力が、相互の熱劣化された脆い接続部に集中し、その部位に亀裂が発生する等で頻繁にクッションゴムのメンテンナンスを強いられるばかりか、突破っ的に起こる破断のクッションゴムのはね返りで身辺に危害を与える等の課題が残る。【０００８】  このように、サルカンは常に他の用品との組み合わせによってのみ機能が達せられるが、特に、クッションゴム同等の効果を持ち、劣化したり、破断することのなく、フリーメンテンナンスで使えるクッションゴム機能をサルカンに具備出来たら、画期的な用品になるのではと、数々のトライを積み重ね、クッション緩和サルカンが具現化したものである。
【課題を解決するための手段】
【０００９】  この考案は、かかる課題を解決するために、請求項１での考案は図１、図２で述べるに、釣り用サルカン（撚り戻し具）において、固定でなる、中心孔付きのＡマグネット１に直列で対向する反発力ａ磁極で移動可能で、中心孔付きのＢマグネット２を内蔵構成する合成樹脂製でなる蓋体３Ａ付き密閉式円筒体ケース３の片方の端子３ａに接続孔３ｂを設け、他方の側面に設けた軸孔３ｃに差し込まれて回動とスライド自在でなる接続リング部４ａ付き駆動軸４は、内臓するＡマグネット１を貫通し、反発力ａでなるＢマグネット２に一体的連結することで、その接続リング部４ａに付加する引きｂで反発力ａに逆らい固定するＡマグネットに近接し、引きｂ解除にて即、反発力ａの復帰移動する同期連動作用することで、接続リング部４ａを伸縮と回動自在可能にした構成とする。【００１０】  次ぎに、請求項２での考案を図３，図４で述べるように、前記する固定でなるＡマグネット１と反発力ａで移動するＢマグネット２との磁極間に不特定材質でなるボールベアリング５を配置し、回動とスライドをスムーズに作動する構成にする。【００１１】  次ぎに、請求項３での考案を図５、図６で述べるように、前記する蓋体３Ａ付での密閉式円筒体ケース３に内臓し反発力ａ磁極で対向で構成するＡマグネット１とＢマグネット２を排除し、台座６ａと或いは、ボールベアリング５を介してなる圧縮コイルスプリング６を代替内臓し、軸孔３ｃに差し込まれてなる駆動軸４が圧縮コイルスプリング６の輪径空間部６ｂを貫通し、Ｅリングｅ付き止め座Ｃ等で一体化構成する駆動軸４の接続リング部４ａに付加する引きｂで圧縮コイルスプリング６が縮小し、引きｂ解除にて即、反発力ａの拡張で当該接続リング部４ａを伸縮と回動自在可能な構成にする。
【考案の効果】
【００１２】  本考案は、上述の通り構成作用するので次ぎの優れた効果を奏する。即ち、請求項１での効果は、仕掛けにクッションゴムを使う事無く、魚が釣れた際の衝撃を緩和し、ハリスの切れを防止するショック緩和サルカンを提供することが出来る。【００１３】  次ぎに請求項２での効果は、双方のマグネット接合回転部にボールベアリングを挿入する事で滑動面の磨耗を防ぎ常時スムーズに回動を持続するロングライフのショック緩和サルカンを提供することが出来る。【００１４】  次ぎに請求項３での効果は、圧縮スプリングを使い、その伸縮作用有効ストロークを任意の長さに設定の出来るショック緩和サルカンを提供出来る。【００１５】  このように、従来のクッションゴムのように切断したり、切断での跳ね返りで身辺に危害を与えたり或いは、メンテンナンスの必要としないクッション部位をサルカンに内蔵した、ショック緩和サルカンを提供出来る。
【考案を実施するための最良の形態】
【００１６】  以下に図示の実施例基づいて本考案を更に詳細に説明する。即ち、図１、図２は本考案での第一実施例に基づく、一部断面での全体を示しての斜視図である。釣り用サルカンは全体の要部構成が金属製が一般的で、本考案でのサルカンの本体は合成樹脂材での蓋体３Ａ付きの密閉式円筒体ケース３でなる空間内部に、円柱体状で中央部に中心孔付きのＡマグネット１と、Ｂマグネット２の２つを直列並びに内臓し、双方は同磁極を対向させ、常時反発力ａで所定の磁力作用内での間隔をおいて設定される。そして、これらの片方のＡマグネット１は固定され、其れに直列並びに反発力ａで配置するＢマグネット２は固定するＡマグネット１に近接自在にスライド移動スペース可能な構成で、蓋体３Ａ付きの密閉式円筒体ケース３の空間に内臓構成にする。【００１７】  そして、前記する対でのマグネットを内臓する蓋体３Ａ付きの密閉式円筒体ケース３は、片方の蓋体３Ａ側の端子３ａには接続孔３ｂが設けられ、他方の端子側面には軸孔３ｃが開口し、この軸孔３ｃには、非鉄金属線材、例えば、ステンレス材或いは、黄銅線材でなり、その片方端部をリング状に折り返した接続リング部４ａを成形し解けぬように直線部に絡ませ、他方の端部は尖がり状な軸受け部４ｂに加工された駆動軸４が、固定で内蔵するＡマグネット１の中心孔を緩やかに貫通し、更に反発力ａして直列するＢマグネット２の中心孔を貫通し、飛び出した軸受け部４ｂの近辺に位置して固着する止め座Ｃによって一体的連結でなり、Ｂマグネット２が反発力ａの及ぶ範囲内で、止め座Ｃを押しながら、蓋体３Ａに開口する軸孔３ｃに軸受け部４ｂが緩やかに挿入さる。【００１８】  そして、図２において、前記する本考案でのショック緩和サルカンは、釣り場での水中で接続孔３ｂに係合する道糸と駆動軸４に設けた接続リング部４ａに係合するハリスとの間に介在し、ハリスに付加する魚の引きｂで反発力ａで待機するＢマグネット２が弱い引きｂから反発力ａに逆らい徐如に付加するクッション作用でショックを緩和し、弱いアタリを道糸に仕掛けたウキ等に反応する。【００１９】  次ぎに、図３，図４は本考案での第ニ実施例に基づく、一部断面での全体を示しての斜視図で、前記する固定内臓するＡマグネット１の磁極例えばＮ磁極に対応して反発力ａでなるＮ磁極を直列するＢマグネット２を設定し、釣り場での水中で魚のアタリや食い付きでの釣り上げでは魚の過剰な引きｂやアガキで双方のマグネットのＮ磁極面が大きな摩擦で回動にブレーキを付加し磨耗し、更には、スムーズな回動を阻止する事を防止する為のボールベアリング５を双方のマグネットの接合面に挿入する構成とするが、当該ボールベアリング５の材質は非鉄金属材で例えばステンレスや樹脂係にし、双方のマグネットに吸着することのない材質が望ましいが、特定するするものでない。【００２０】  次ぎに、図５、図６は本考案での第三実施例に基づく、一部断面での全体を示しての斜視図で、前記する密閉式円筒体ケース３に内蔵し反発力ａ磁極でなる、Ａマグネット１とＢマグネット２を排除し、台座６ａと或いは、ボールベアリング５を介してなる圧縮コイルスプリング６を代替内蔵し、軸孔３ｃに差し込まれて構成する駆動軸４の軸受け部��ｂが圧縮コイルスプリング６の輪径空間部６ｂを貫通し、その軸受け部４ｂの近辺に位置して固着するＥリングｅと止め座Ｃを介し、圧縮コイルスプリング６の巻き端を支え、その反発力ａの及ぶ範囲内で、止め座Ｃに押し圧を付加する構成で、図６で示すように釣り場での水中で、魚の引きｂが駆動軸４の接続リング部４ａに付加するに準じ圧縮コイルスプリング６が拡張する反発力ａに逆らい縮小と拡張でのクッション作用でショックを緩和する構成とする。
【図面の簡単な説明】
【００２１】
【図１】本考案に係わる第一実施例で一部断面での全体斜視図である。
【図２】本考案に係わる第一実施例で使用形態を示す一部断面での全体斜視図である。
【図３】本考案に係わる第ニ実施例で一部断面での全体斜視図である。
【図４】本考案に係わる第ニ実施例で使用形態を示す一部断面での全体斜視図である。
【図５】本考案に係わる第三実施例で一部断面での全体斜視図である。
【図６】本考案に係わる第三実施例で使用形態を示す一部断面での全体斜視図である。
【図７】従来技術での一部断面を示しての全体斜視図である。
【符合の説明】
【００２２】Ａ            ハリス
Ｂ            釣り針
Ｃ            止め座
ａ            反発力
ｂ            引き
１            Ａマグネット
２            Ｂマグネット
３、３０      密閉式円筒体ケース
３ａ          端子
３Ａ          蓋体
３ｂ          接続孔
３ｃ，３０ｃ  軸孔
４、４０      駆動軸
４ｂ          軸受け部
４ａ，４０ａ  接続リング部
５            ベアリング
６            圧縮コイルスプリング
６ａ          台座
６ｂ          輪径空間部
【図１】
0003147650.tif 000003
【図２】
0003147650.tif 000004
【図３】
0003147650.tif 000005
【図４】
0003147650.tif 000006
【図５】
0003147650.tif 000007
【図６】
0003147650.tif 000008
【図７】
0003147650.tif 000009